(57)【特許請求の範囲】
【請求項１】
左右一対の短辺部と、これら各短辺部を上下に挟む一対の長辺部とを有する矩形状の屋根材本体とを備え、前記短辺部を、妻方向に向けて隣接配置される屋根材の短辺部にそれぞれつなぎ合わせるとともに、前記長辺部を、軒から棟に向けて隣接配置される屋根材の長辺部につなぎ合わせることにより建築構造物の屋根を葺きあげる、横葺き用屋根板材であって、
前記屋根材本体は、前記長辺部の相互間の全域にわたり前記短辺部に向けＳ字状または逆Ｓ字状に折り返して該屋根材本体の外表面に段差を形成する少なくとも１つの折り畳み部を有し、
前記長辺部のうちの、棟側に位置する長辺部に、その直上にて隣接配置される屋根材の上ハゼに嵌合する下ハゼを設け、
前記長辺部のうち、軒側に位置する長辺部に、その直下に隣接配置される屋根材の下ハゼに嵌合する上ハゼを設け、
前記一対の短辺部のうちの一方に、前記屋根材本体の外表面との間で段下がり部を形成するとともに、軒、棟方向に沿って延伸する凹凸を形成した下継手を設け、
前記一対の短辺部のうちの、もう一方の短辺部に、隣接配置される屋根材の前記下継手に重ね合わさる上継手を設け、
前記上継手に、前記段下がり部の側端面への当接により隣接配置される屋根材との相互間にて平坦な接続部を形成する突き当て部と、前記屋根本体の表面への当接により隣接配置される屋根材との相互間にて段差の付いた接続部を形成する背面接地部とを設け、
前記下ハゼは、軒側に向けて開放された凹部を形成する第一の折り返し部と、この第一の折り返し部の端部につながり棟側に向けて開放された凹部を形成する第二の折り返し部と、この第二の折り返し部の端部につながり屋根の下地材に連結して前記屋根材本体を固定、保持する固定片からなり、
前記上ハゼは、棟側に向けて開放された凹部を形成するとともに、前記下ハゼの第一の折り返し部に形成された凹部に嵌合する折り返し部を有し、
前記下ハゼのうち前記下継手が形成される部位に、前記下継手の凹凸とほぼ同等の展開長さを有する凹凸を設け、
前記上ハゼの折り返し部は、前記屋根材本体につながり屋根の小口を形成する縦壁と、この縦壁の下端につながり棟側に向けて折り返された横壁からなり、該上ハゼのうち前記下継手が形成される部位に、該縦壁を内向きに押し込んでなり、前記長辺部の延在方向に沿って前記上ハゼにおける前記部位の全域にわたって連続して延びる凹部を形成するとともに前記下継手の段下がり部につながる段下がり部を設けたことを特徴とする横葺き用屋根材。
【請求項２】
前記屋根材本体は、その裏面に貼着される断熱材を有することを特徴とする請求項１に記載した横葺き用屋根材。
【請求項３】
請求項１または２に記載した横葺き用屋根材を用いて建築構造物の屋根を葺きあげる接続構造であって、
前記下継手に、隣接配置される別の屋根材本体の上継手を重ね合わせるとともに、前記下ハゼ、上ハゼを、隣接配置される別の屋根材の下ハゼ、上ハゼにそれぞれ嵌合させて前記屋根材本体をそれぞれ妻方向に沿って接続する一方、前記下ハゼを、その直上にて隣接配置される別の屋根材の上ハゼに嵌合させるとともに該屋根材の上ハゼを、その直下にて隣接配置される別の屋根材の下ハゼに嵌合させて軒、棟方向に接続してなり、
前記屋根材本体の外表面に、前記折り畳み部が位置する前記下ハゼの第二の折り返し部に連結して固定、保持される雪止め金具を設けたことを特徴とする横葺き用屋根材の接続構造。
【請求項４】
前記雪止め金具を、前記下ハゼの第二の折り返し部に直接連係する締結手段を介して固定、保持し、該締結手段の本体部分を、該第二の折り返し部の凹部に収納してなることを特徴とする請求項３に記載した横葺き用屋根材の接続構造。
【請求項５】
前記雪止め金具を、隣接配置される別の屋根材の上ハゼを貫通して前記下ハゼの第二の折り返し部に連係する締結手段を介して固定、保持し、該締結手段の本体部分を、該第二の折り返し部の凹部に収納してなることを特徴とする請求項３に記載した横葺き用屋根材の接続構造。
【発明の詳細な説明】
【技術分野】
【０００１】
本発明は、一般住宅や事務所、マンション、福祉施設、リゾート施設、商業施設、公共施設等において幅広く使用される横葺き用屋根材及びその屋根材の接続構造に関するものである。
【背景技術】
【０００２】
横葺き屋根は、妻方向に比較的長尺で、軒、棟方向において短尺な、矩形状をなす屋根材を使用するのが一般的であり、妻方向への接続作業を、軒から棟側に向けて順次繰り返し行うことによって葺きあげられる。
【０００３】
従来、横葺き屋根に使用する屋根材としては、左右の端部と上下の端部にそれぞれハゼの如き継手を設け、これらの継手を利用して隣接する屋根材同士を上下（軒、棟方向）、左右（妻方向）につなぎ合わせるようにしている。
【０００４】
この点に関する先行技術としては、特許文献１に開示されたものが知られている。
【先行技術文献】
【特許文献】
【０００５】
【特許文献１】特許第４１３１５６７号公報
【特許文献２】特許第２８５７６６５号公報
【発明の概要】
【発明が解決しようとする課題】
【０００６】
ところで、上掲の特許文献１に開示されている従来の屋根材は、以下に述べるような不具合を抱えている。
【０００７】
すなわち、従来の屋根材は、該屋根材を左右（妻方向）に接続するに当たっては、下方に向けて折り返された上ハゼと、上方に向けて折り返された下ハゼとを、互いにかみ合うようにハゼ掛けして接続する構造からなっているため、その製造に際しては寸法精度の厳密な管理が必要であり、効率的な製造が困難である。
【０００８】
また、ハゼ掛け部を形成するには、屋根材用の素材を複数回にわたって折り返す加工が必要であり、その長さの分だけ屋根材の重量が増すこととなりコストの上昇が避けられない。
【０００９】
さらに、屋根を葺きあげていくに当たっては、左右方向についてもハゼ掛け作業が必要になることから、これに多大な作業時間を要し、しかも、屋根材の接続形態を、例えば、段付き、あるいはフラット形式のものに変更する場合には、それに応じた継手を備えた屋根材を別途用意しておかなければならない不都合があった。
【００１０】
なお、この種の屋根材においては、雪止め金具の取付け施工が要望されることもあるが、従来の屋根材は、通常、薄鋼板を使用して１枚板で成型されるのが普通であり、屋根材本体にビスの如き締結手段によって固定しても十分な取付け強度を確保することができないことから、雪止め金具の取付けには不向きなものとなっていた。
【００１１】
雪止め金具の取付け構造に関する従来技術としては、屋根材の棟側に位置する嵌合部（下嵌合部）の形状に合わせて金具の取付け部を加工し、これを、野地板および垂木に複数本の釘あるいはビスで固定するようにした特許文献２に開示されたものが知られている。
【００１２】
しかし、従来の雪止め金具の取付け構造にあっては、該取付け部を、例えば、３０〜４０ｍｍ程度の幅を有する細幅垂木に固定する場合、該垂木は、アスファルトルーフィングや野地板によって覆われているため、その位置を正確に把握することができず、垂木をはずれて野地板のみに固定されることがあり、強度的に不安定な状態で取付けられることがある。
【００１３】
また、従来の雪止め金具の取付け部は、屋根材の内部に位置しているため、それを設置するには、屋根の施工と同時に施工する必要がある（後付けができない）うえ、屋根の施工時に設置箇所や数量を予め確定しておき、それに合わせて雪止め金具を用意しておくことが不可欠となる。
【００１４】
そこで、本発明の目的は、横葺き用屋根材および横葺き用屋根材の接続構造につき、該屋根材を防水性の劣化を起こすことなしに左右方向（妻方向）に効率的につなぎ合わせるとともに、接続形態の変更を容易にし、なおかつ、雪止め金具を、屋根の施工の前後に係わらず比較的簡易な作業のもとで確実に取付けるところにある。
【課題を解決するための手段】
【００１５】
本発明は、左右一対の短辺部と、これら各短辺部を上下に挟む一対の長辺部とを有する矩形状の屋根材本体とを備え、前記短辺部を、妻方向に向けて隣接配置される屋根材の短辺部にそれぞれつなぎ合わせるとともに、前記長辺部を、軒から棟に向けて隣接配置される屋根材の長辺部につなぎ合わせることにより建築構造物の屋根を葺きあげる、横葺き用屋根板材であって、
前記屋根材本体は、前記長辺部の相互間の全域にわたり前記短辺部に向けてＳ字状または逆Ｓ字状に折り返して該屋根材本体の外表面に段差を形成する少なくとも１つの折り畳み部を有し、前記長辺部のうちの、棟側に位置する長辺部に、その直上にて隣接配置される屋根材の上ハゼに嵌合する下ハゼを設け、前記長辺部のうち、軒側に位置する長辺部に、その直下に隣接配置される屋根材の下ハゼに嵌合する上ハゼを設け、前記一対の短辺部のうちの一方に、前記屋根材本体の外表面との間で段下がり部を形成するとともに、軒、棟方向に沿って延伸する凹凸を形成した下継手を設け、前記一対の短辺部のうちの、もう一方の短辺部に、隣接配置される屋根材の前記下継手に重ね合わさる上継手を設け、前記上継手に、前記段下がり部の側端面への当接により該隣接配置される屋根材との相互間にて平坦な接続部を形成する突き当て部と、前記屋根本体の外表面への当接により該隣接配置される屋根材との相互間にて段差の付いた接続部を形成する背面接地部とを設け、前記下ハゼは、軒側に向けて開放された凹部を形成する第一の折り返し部と、この第一の折り返し部の端部につながり棟側に向けて開放された凹部を形成する第二の折り返し部と、この第二の折り返し部の端部につながり屋根の下地材に連結して前記屋根材本体を固定、保持する固定片からなり、前記上ハゼは、棟側に向けて開放された凹部を形成するとともに、前記下ハゼの第一の折り返し部に形成された凹部に嵌合する折り返し部を有し、前記下ハゼの幅方向の縁部に、前記下継手の凹凸とほぼ同等の展開長さを有する凹凸を設け、前記上ハゼの折り返し部は、前記屋根材本体につながり屋根の小口を形成する縦壁と、この縦壁の下端につながり棟側に向けて折り返された横壁からなり、該上ハゼの幅方向の縁部に、該縦壁を内向きに押し込んだ、凹部を形成するとともに前記下継手の段下がり部につながる段下がり部を設けたことを特徴とする横葺き用屋根材である。
【００１６】
上記の構成からなる横葺き用屋根材においては、屋根材本体の裏面に断熱材を貼着しておくこと、
が本発明の課題解決のための具体的手段として好ましい。
【００１７】
また、本発明は、上記の構成からなる横葺き用屋根材を用いて建築構造物の屋根を葺きあげる接続構造において、前記下継手に、隣接配置される別の屋根材本体の上継手を重ね合わせるとともに、前記下ハゼ、上ハゼを、隣接配置される別の屋根材の下ハゼ、上ハゼにそれぞれ嵌合させて前記屋根材本体をそれぞれ妻方向に沿って接続する一方、前記下ハゼを、その直上にて隣接配置される別の屋根材の上ハゼに嵌合させるとともに該屋根材の上ハゼを、その直下にて隣接配置される別の屋根材の下ハゼに嵌合させて軒、棟方向に接続し、前記屋根材本体の外表面に、前記折り畳み部が位置する前記下ハゼの第二の折り返し部に連結して固定、保持される雪止め金具を設けたことを特徴とする横葺き用屋根材の接続構造である。
【００１８】
上記の構成からなる横葺き用屋根材の接続構造においては、
１）雪止め金具を、前記下ハゼの第二の折り返し部に直接連係する締結手段を介して固定、保持し、該締結手段の本体部分（首下部分）を、該第二の折り返し部の凹部に収納すること、
２）雪止め金具を、隣接配置される別の屋根材の上ハゼを貫通して前記下ハゼの第二の折り返し部に連係する締結手段を介して固定、保持し、該締結手段の本体部分を、該第二の折り返し部の凹部に収納すること、
が、本発明の課題解決のための具体的手段として好ましい。
【発明の効果】
【００１９】
上記の構成からなる本発明の横葺き用屋根材によれば、屋根材の左右方向（妻方向）の接続は、上継手と下継手を重ね合わせるだけでよいため、効率的な施工が可能となる。
【００２０】
また、本発明にかかる横葺き用屋根材によれば、上継手に、段下がり部の側端面への当接により該隣接配置される屋根材との相互間にて平坦な外表面を形成する突き当て部と、屋根本体の外表面への当接により該隣接配置される屋根材との相互間にて段部の付いた外表面を形成する背面接地部とを設けたため、隣接配置される屋根材の段下がり部の側端面に該突き当て部を当接させることにより平坦な接続部を得ることが可能であり、また、隣接配置される屋根材の外表面に背面接地部を当接させることにより段差の付いた接続部を得ることができ、これにより一つの屋根材で２種の接続形態を採用することが可能となり、屋根の葺きあげ施工において融通性が拡がる。
【００２１】
また、下継手に形成された段下がり部の上面（重ね合わせ面）に、軒、棟方向に沿って延伸する凹凸を設けることにより、上継手との相互間から雨水が侵入したとしても、該雨水は、屋根の勾配により該凹部に沿い軒側へと流れ落ちるため、防水性が高い。該凹凸により、屋根材の展開長さをほぼ同じにできるため、反りや捩れ等の形状変形を回避することが可能となる。
【００２２】
また、本発明にかかる横葺き用屋根材によれば、長辺部の下ハゼを、軒側に向けて開放された凹部を形成する第一の折り返し部と、この第一の折り返し部の端部につながり棟側に向けて開放された凹部を形成する第二の折り返し部と、この第二の折り返し部の端部につながり屋根の下地材に連結して屋根材本体を固定、保持する固定片にて構成し、上ハゼに、棟側に向けて開放された凹部を形成するとともに、下ハゼの第一の折り返し部に形成された凹部に嵌合する折り返し部を設けるようにしたため、軒、棟方向において屋根材を簡便につなぎ合わせることが可能となり、葺きあげ作業の簡便化が図られる。
【００２３】
また、下ハゼの幅方向の縁部に、下継手の凹凸とほぼ同等の凹凸を設けることにより、屋根材を一枚の板から成型する場合に、展開長さがほぼ同じになり反りや捩れ等の形状変形を防止することができる。
【００２４】
さらに、上記の構成からなる本発明の横葺き用屋根材によれば、上ハゼを、屋根材本体につながり屋根の小口を形成する縦壁（小口を形成する壁）と、この縦壁の下端につながり棟側に向けて折り返された横壁とで構成し、該上ハゼの幅方向の縁部に、該縦壁を内向きに押し込んだ、凹部を形成するとともに下継手の段下がり部につながる段下がり部を設けることで隣接配置される別の屋根材の上ハゼに嵌合させるだけの簡単な作業で屋根材同士を平坦に接続することができる。
【００２５】
とくに、上ハゼの幅方向の縁部の縦壁を、内側に押し込んで凹部を形成しておくことにより下継手の凹凸とほぼ同じ展開長さにすることが可能となり、屋根材の成型に際して反りや捩れが生じて形状の変形を招くことがない。
【００２６】
また、本発明によれば、屋根材本体の裏面に断熱材を貼付しておくことにより、断熱、保温効果等を高めることができる。
【００２７】
さらに、上記の構成からなる横葺き用屋根材の接続構造によれば、雪止め金具を、折り畳み部が位置する記下ハゼの第二の折り返し部に連結して固定、保持するようにしたため、雪止め金具の効率的な取付けが可能になるとともに、とくに折り畳み部は板が３枚重ねられた３重構造になっているため該金具の引抜き強度が高まる。
【００２８】
また、本発明にかかる横葺き用屋根材の接続構造によれば、下ハゼの第二の折り返し部における連結を、下ハゼの第二の折り返し部に直接連係する締結手段によって行うようにしたため、屋根の葺きあげと同時に雪止め金具を簡単な作業で確実に取付けることができる。締結手段の本体部分は、第二の折り返し部の凹部に収納するため、屋根材の外観形状に影響を与えることがない。
【００２９】
また、本発明にかかる横葺き用屋根材の接続構造によれば、下ハゼの第二の折り返し部における連結を、隣接配置される別の屋根材の上ハゼを貫通して該下ハゼの第二の折り返し部に連係する締結手段によって行うようにしたため、屋根の葺きあげを終えた後においても屋根材を引き剥がすような作業を行うことなしに雪止め金具を、確実に取付けることができる。この場合も、締結手段の本体部分は、第二の折り返し部の凹部に収納するため、屋根材の外観形状に影響を与えることがない。
【図面の簡単な説明】
【００３０】
【図１】図１は、本発明に従う横葺き用屋根材の実施の形態を示した正面図である。
【図２】図２は、図１の平面図である。
【図３】図３は、図１の底面図である。
【図４】図４は、図１のＡ―Ａ断面を示した図である。
【図５】図５は、図１のＢ−Ｂ断面を示した図である。
【図６】図６は、図１の外観斜視図である。
【図７】図７は、下ハゼと上ハゼの嵌合状態を示した図である。
【図８】図８は、図１のＣ−Ｃ部の拡大断面図である。
【図９】図９は、屋根材同士をつなぎ合わせる状況を示した図である。
【図１０】図１０は、図９に示した屋根材同士のつなぎ合わせにおける下継手と上継手とを重ね合わせた状態を示した断面図である。
【図１１】図１１は、図１０に示す状態で屋根材同士をつなぎ合わせたときの状態を示した図である。
【図１２】図１２は、屋根材同士のつなぎ合わせにおける接続部の断面を示した図である。
【図１３】図１３は、図１２に示すような接続部で屋根材同士をつなぎ合わせた状態を示した図である。
【図１４】図１４は、図１に示した屋根材の上ハゼの幅方向縁部の断面を示した図である。
【図１５】図１５は、本発明に従う横葺き用屋根材の他の例を示した図である。
【図１６】図１６は、本発明に従う横葺き用屋根材の他の例を示した図である。
【図１７】図１７は、本発明に従う横葺き用屋根材の他の例（折り畳み部の形状変更）を示した図である。
【図１８】図１８は、断熱材を貼付した例を示した図である。
【図１９】図１９は、本発明に従う横葺き用屋根材の施工状況の説明図である。
【図２０】図２０は、折り畳み部を有する屋根材を用いて葺きあげた屋根の完成状態を示した図である。
【図２１】図２１は、本発明に従う横葺き用屋根材の接続構造につき、雪止め金具を内部に取付け状況を示した図である。
【図２２】図２２は、本発明に従う横葺き用屋根材の接続構造につき、雪止め金具を外部に取付け状況を示した図である。
【図２３】図２３は、屋根上積載物の固定用部材を取り付けた状況を示した本発明に従う横葺き用屋根材の接続構造の他の実施の形態を示した図である。
【発明を実施するための形態】
【００３１】
以下、図面を参照して、本発明をより具体的に説明する。
図１は、本発明に従う横葺き用屋根材の実施の形態を示した正面図であり、図２は図１の平面図、図３は図１の底面図である。
【００３２】
また、図４は図１のＡ−Ａ部の拡大断面図であり、図５は図１のＢ−Ｂ部の拡大断面図であり、図６は、図１に示した横葺き用屋根材の外観斜視図である。
【００３３】
図１〜図６における符号１は、亜鉛めっき鋼板、アルミニウム亜鉛合金めっき鋼板、アルミニウム板、ステンレス鋼板、銅板およびそれらの塗装あるいは被覆膜製品等によって構成することができる屋根材本体である。
【００３４】
この屋根材本体１は、左右一対の短辺部１ａ、１ｂと、これら各短辺部１ａ、１ｂを上下（軒、棟方向）に挟む長辺部１ｃ、１ｄとを有する矩形状の幅広、短尺材にて構成される。ここに、長辺部１ｃを軒側長辺部とし、長辺部１ｄを棟側長辺部とする。
【００３５】
また、２は、その要部断面を図１に拡大して示したように、長辺部１ｃ、１ｄの相互間の全域にわたり短辺部１ａ、１ｂに向けて幅ｗでもってＳ字状に折り返して屋根材本体１の外表面に段差ｅを形成した折り畳み部である。
【００３６】
また、３は、棟側長辺部１ｄに設けられた下ハゼである。この下ハゼ３は、図７に示すように、その直上（棟側）に隣接配置される別の横葺き用屋根材の上ハゼに嵌合することにより屋根材本体１同士を接続する。
【００３７】
上記の下ハゼ３は、この例では、軒側に向けて開放された凹部を形成する第一の折り返し部３ａと、この第一の折り返し部３ａの端部につながり棟側に向けて開放された凹部を形成する第二の折り返し部３ｂと、この第二の折り返し部３ｂの端部につながり屋根の下地材に連結して前記屋根材本体１を固定、保持する固定片３ｃから構成されている（図４参照）。
【００３８】
なお、下ハゼ３の幅方向の縁部（短辺部側）には、下ハゼ３よりも小さいサイズになる下ハゼ３′が形成されている（図５、図６参照）。この下ハゼ３′は、後述する下継手に形成される段下がり部と同等の段下がり代を有しており、これにより、別の屋根材の上継手を重ね合わせても該下ハゼ３′が上継手に接触することがないようになっている。
【００３９】
また、４は、軒側長辺部１ｃに設けられた上ハゼである（図４、図６参照）。この上ハゼ４は、その直下（軒側）に隣接配置される別の横葺き用屋根材の下ハゼ３に嵌合して屋根材本体同士を接続する（屋根材本体が軒に位置する場合には、軒先水切りと嵌合する。）。
【００４０】
上ハゼ４は、屋根材本体１につながる縦壁（小口を形成する壁）４ａと、この縦壁４ａの下端につながり棟側に向けて折り返された横壁（折り返し部）４ｂから構成されている。上ハゼ４の幅方向の縁部における縦壁４ａには、該縦壁４ａの面よりも低い段下がり部４ｃが設けられている（図３参照）。
【００４１】
上ハゼ４には、縦壁４ａ、横壁４ｂによって棟側に向けて開放された凹部が形成されていて、図７に示す如く、該横壁４ｂが下ハゼ３の第一の折り返し部３ａに形成された凹部に嵌合することによって屋根材本体１が軒、棟方向につながる。
【００４２】
また、５は、短辺部１ｂに設けられた下継手である。この下継手５は、図３に要部を拡大して示した如く、横葺き用屋根材の外表面よりも低くなる該段下がり部５ａが形成されており、かつ、軒、棟方向に沿って延伸する凹５ｂ、凸５ｃが複数本設けられている。この凹５ｂ、凸５cは、プレス成型により形成されるものであって、該凸５ｃの突端面は、屋根材の外表面よりも低い位置にある。
【００４３】
６は、短辺部１ａに設けられた上継手である。この上継手６は、妻方向（横方向）に隣接配置される別の屋根材の下継手５に重ね合わさるものであり、図１のＣ―Ｃ断面を拡大して図８に示すように、隣接配置される別の屋根材の下継手５の段下がり部５ａの側端面に当接してその相互間にて平坦な接続部を形成を可能とする突き当て部６ａと、隣接配置される別の屋根材の表面への当接により該隣接配置される屋根材との相互間にて段差の付いた接続部を形成する背面接地部（平坦部）６ｂが設けられている。
【００４４】
上記上継手６の先端部には、屋根材の裏面側に向けて折り曲げた、折り返し部６ｃが形成され、この例では、この折り返し部６cを上記の背面接地部６ｂとしている。
【００４５】
また、７は、下ハゼ３の縁部(固定片３ｃ)に設けられた凹凸である（図２、図６参照）。この凹凸７は、下継手５の凹５ｂ、凸５ｃとほぼ同じ展開長さとするため該凹５ｂ、凸５ｃの形成と同時に設けられるものであって、これにより屋根材の展開長さをほぼ同じにして反りや捩れ等の形状変形を防止している。
【００４６】
８は、上ハゼ４の幅方向の縁部に設けられた段下がり部４ｃにおいて、縦壁４ａを内向きに押し込んで形成された凹部（図５参照）、９は、上ハゼ４の横壁４ｂに設けられた凹凸である（図３参照）。
【００４７】
上記の構成からなる横葺き用屋根材を、妻方向につなぎ合わせるに際しては、図９、図１０に示すように、屋根材の上継手６を、隣接配置される屋根材の下継手５に重ね合わせる。
【００４８】
そうすると、その相互間には、図１１に示す如く、折り畳み部２と同じような段差の付いた接続部が形成される。これにより、屋根材の接続部が折り畳み部２と同じように見えることとなり、該接続部がどこに存在するか確認することができない美観に優れた屋根に葺きあげられる。なお、上継手６の背面接地部６ｂにおける重なり代Ｌ（図１０参照）は、１０ｍｍ程度とすることができる。
【００４９】
一方、妻方向へのつなぎ合わせに際して上継手６の突き当て部６ａを、図１２に示すように、隣接配置される屋根材の下継手５の段下がり部の側端面に当接させるべく、上継手６を、隣接配置される屋根材の下継手５に重ね合わせると、その相互間には、図１３に示す如く、平坦な接続部が形成される。
【００５０】
上記のような平坦な接続部を有する屋根の葺きあげは、とくに、折り畳み部２を付加しない平坦な外表面をもつ屋根材に適用する場合に有効であり、これにより、一体感のある屋根に葺きあげられる。
【００５１】
本発明における横葺き用屋根材は、上述したように、屋根材を妻方向に葺いていくに当たって屋根材の接続形態を容易に変更できるものであって、別の屋根材を用意しておく必要がなく、融通性が拡大される。
【００５２】
また、上ハゼ４の幅方向の縁部には、図１のＡ―Ａ断面、Ｂ―Ｂ断面を重ね合わせて図１４に示すように、下継手５の段下がり部５ａと同等の下がり代をもった段下がり部４ｃを形成したため、とくに平坦な接続部を形成する場合においては、隣接配置される別の屋根材の上ハゼ４の縦壁４ａが重ね合わさっても、この部位に段差が形成されることはない。
【００５３】
さらに、本発明の横葺き用屋根材は、屋根材の接続部（横方向）から雨水が侵入した場合、該雨水は段下がり部５ａの上面（重ね合わせ面）に設けられた凹５ｂに沿いすぐさま軒側へと流れ落ちる。凹５ｂ、凸５ｃは横方向からの雨水に対し１つ以上設けるのがよく、これにより、雨水が侵入しても屋根の勾配によって一つ目の凹５ｂから順次、軒側へ排出されることとなる。
【００５４】
屋根の勾配が緩い場合や大雨時の浸水を考慮し、中間部に位置する凸５ｃの突端に、上継手６の裏面に当接する図１５に示すような防水テープｔを設けておくことにより雨水の侵入を確実に回避することもできる。
【００５５】
下ハゼ３の幅方向の縁部（下継手５が形成される部位）には、下ハゼ３′に代えて、第一の折り返し部３ａと第二の折り返し部３ｂとを相互に接触させることによって形成される図１６に示すような偏平部ｈを設けることができ、これにより、この部位の強度を高めることができる。
【００５６】
また、上ハゼ４の幅方向の縁部（下継手５が形成される部位）においては、縦壁４ａに凹部８を形成し、横壁４ｂに凹凸９を設けるようにしたが（図３参照）、その理由は、下継手５の凹５ｂ、凸５ｃはプレス成型により一体的に形成されるので、その深さ分だけ展開長さが増え、該下継手５が屋根材の幅方向に向けて縮むことになり、該縦壁４ａ、横壁４ｂについてもこれに合わせる必要があるからである。
【００５７】
縦壁４ａに凹部８を形成し、横壁４ｂに凹凸９を設けることで、下継手５の展開長さと同じ展開長さに調節することが可能となり、成型加工に際して屋根材に反り等の形状変形を防止することができる。
【００５８】
とくに縦壁４ａについては、折り返しにより深く加工した分、外側に向かって飛び出してくるので、縦壁４ａの幅方向の縁部については凹部８を設けるのが肝要となる。
【００５９】
以上、屋根材本体１に、折り畳み部２を設けた横葺き用屋根材を例にして説明したが、本発明においては、平坦な外表面を有する屋根材についても適用できるのはいうまでもない。
【００６０】
また、本発明では、折り畳み部２によって形成される段差ｅを、その反対側にも形成して屋根の二方向からから折り畳み部を視認することができるようにした図１７に示すような折り畳み部２′を備えた横葺き用屋根材を適用することもできる。
【００６１】
なお、本発明に従う横葺き用屋根材は、断熱あるいは保温等の効果を高めることを目的として、図１８に示すように、該屋根材の裏面に断熱材１０を貼着しておくこともできる。
【００６２】
本発明に従う横葺き用屋根材を用いて屋根を葺きあげるには具体的に以下の施工手順に従う。
【００６３】
まず、図１９に示すように、野地板１１にルーフィング１２を敷設したのち、軒先に水切り板１３を取り付け、屋根材本体１の上ハゼ４を該水切り板１３に嵌合させる。
【００６４】
次いで、屋根材の下ハゼ３の固定片３ｃを、ルーフィング１２の上におき、釘やビス等で野地板１１、垂木あるいは母屋１４などに必要な間隔で固定する。そして、屋根材本体１が固定されたならば、屋根材相互のつなぎ合わせ部位につき、平坦な接続部を形成するか、段差の付いた接続部を形成するかの何れかを選択し、固定された屋根材の下継手５に隣接配置される別の屋根材の上継手６を重ね合わせる。
【００６５】
以降、この作業を繰り返して妻方向へと葺いていき、妻方向の端部(軒の端部)まで葺いたならば棟側で同じ作業を行う。
【００６６】
軒、棟方向において屋根材を接続するには、固定し終えた屋根材の下ハゼ３の第一の折り返し部３ａに、その直上に隣接配置される屋根材の上ハゼ４の横壁４ｂを差し込んで嵌合させ、取付けにかかる屋根材の下ハゼ３の固定部３ｃを野地板に固定すればよく、この作業も繰り返して軒、棟方向へ葺いていけばよい。
【００６７】
図２０は、段差が付いた接続部を形成する横葺き屋根の葺きあげ状態（完成）を示したものである。本発明によれば、防水性を損なうことなしに、屋根材の接続部に折り畳み部２と同様の段差が付いた接続部を形成することができ、これにより、美観の良好な屋根を葺き上げることが可能になる。
【００６８】
次に、上記の要領で構成された横葺き用屋根材の接続構造について、雪止め金具を取付ける場合を図２１に基づいて説明する。
【００６９】
図２１における符号１５は、屋根材本体１の外表面に設置される雪止め金具である。この雪止め金具１５は、屋根本体１の上で該屋根本体１の表面に直交する向きで起立する金具本体１５ａと、この金具本体１５ａの下端に一体的につながり、屋根本体１の外表面に沿って延伸する連結片１５ｂと、一端が連結片１５ｂにつながり、他端が、下ハゼ３の第二の折り返し部３ｂの縦壁に対面する係止片１５ｃと、金具本体１５ａおよび連結片１５ｂとを相互につなぐ複数の補強用リブ１５ｄから構成されている。
【００７０】
上記の雪止め金具１５は、折り畳み部２が設けられた部位（幅寸法ｗの範囲）に取付けられるものである。屋根の葺きあげと同時に雪止め金具１５を取付けるには、ビス１６の如き締結手段（釘等を含む）により下ハゼ３の第二の折り返し部３ｂの縦壁に直接連係させて該ビス１６の本体部分（首下部分）を凹部の空間内に収納する。そして、その後、棟側に隣接配置される別の屋根材の上ハゼ４を嵌合させればよい。
【００７１】
かかる構成からなる横葺き用屋根材の接続構造によれば、雪止め金具１５は、板が３枚合わせになる折り畳み部２において強固に連結されることとなり、滑雪により雪止め金具１５が簡単に脱落することがない。また、ビス１６は、第二の折り返し部３ｂによって形成される凹部の内部空間内に収納されるため、屋根の外観形状に影響を与えることがない利点がある。
【００７２】
なお、第二の折り返し部３ｂの縦壁には、ビス１６を打ち込む際、あるいは、ビス１６をねじ込む際に該ビス１６が滑らないように窪みＫを設けておくのが好ましい。
【００７３】
また、図２２に、本発明に従う横葺き用屋根材の接続構造の他の例を示す。
この例は、既に葺きあげられた屋根に雪止め金具１５を取付ける例であり、この場合、雪止め金具１５は、棟側に隣接配置される別の屋根材本体１の上ハゼ４の折り返し部４ａを通して下ハゼ３の第二の折り返し部３ｂに連結する。
【００７４】
かかる接続構造においては、ビス１６が棟側に位置する屋根材本体１の上ハゼ４の折り返し部４ａを貫通することになるが、雪止め金具１５の取付け部位は、折り畳み部２が位置する３重構造（隣接配置される屋根材を含めると４重構造）であり、かつ、屋根の勾配がついているため、雨水が簡単に侵入することはない。
【００７５】
なお、この構造においては、念のため、ビス１６の頭部と、屋根材本体１の上ハゼ４の折り返し部４ａとの間には、防水パッキン１７を設けてもよい。
【００７６】
かかる雪止め金具１５についても、上掲図２１に示したものと同様に、折り畳み部２が設けられている部位に取付けられることから、雪止め金具１５は、屋根材本体１に強固に連結される。
【００７７】
屋根の葺きあげ施工後に雪止め金具１５を取付けるに当たっては、ビス１６による連結に際して該ビス１６が滑らないように、上ハゼ４の折り返し部４ａの縦壁に窪みＪを、また、下ハゼ３の折り返し部３ｂの縦壁に窪みＫをそれぞれ設けておくのがよい。
【００７８】
上記の構成からなる横葺き用屋根材の接続構造によれば、ビス１６による連結部位の厚さが３倍（上ハゼ４の厚さを含めると４倍）になるため、取付け強度が３倍程度上昇するとともに、垂木を探して固定する面倒な作業が不要になる。
【００７９】
この接続構造は、屋根の葺き上げ施工を終えた後においても雪止め金具の取付けが可能であり、屋根材を一旦剥がす等の作業が省略できる。
【００８０】
雪止め金具１５の金具本体１５ａと、連結片１５ｂとを分割構造しておき、連結片１５ｂを屋根材に連結したのち、金具本体１５ａを連結片１５ｂに連結することにより効率的な取付けが行える。
【００８１】
厚さが０．４ｍｍになる屋根材本体１を用いて、上掲図２１に示すような接続構造のもとで、直径５ｍｍのビス１６により雪止め金具を固定、保持する場合、該ビス１６の引抜き強度は、板１枚当たり約５０ｋｇ程度であり、折り畳み部２では、約１９０ｋｇ／３枚となり、十分な強度が確保される。なお、屋根材は、棟方向に数段連結されているため、屋根材本体１の引抜き強度は充分に保有されている。
【００８２】
図２３は、雪止め金具１５に代えて架台固定金具１８を取り付け、該架台固定金具１８に架台受金具１９を、該架台受金具１９に積載物架台２０を設けて、該積載物架台２０に太陽電池パネル等の屋根上積載物２１を固定した本発明に従う横葺き用屋根材の接続構造のさらに他の実施の形態を示した図である。
【００８３】
かかる架台固定金具１８を、雪止め金具１５と同様、図示の如き要領で取り付けておくことにより、太陽電池パネル等の屋根上積載物２１を確実に固定しておくことができる。この場合も、屋根材を引き剥がす等の作業は省略することが可能となる。
【産業上の利用可能性】
【００８４】
本発明によれば、防水性が高く、屋根材相互の接続部形態を選択できる融通性の改善された横葺き用屋根材が提供できる。
【００８５】
また、本発明によれば、容易な作業のもとで雪止め金具を確実に取付けることができる横葺き用屋根材の接続構造が提供できる。
【符号の説明】
【００８６】
１      屋根材本体
１ａ    短辺部
１ｂ    短辺部
１ｃ    長辺部
１ｄ    長辺部
２      折り畳み部
３      下ハゼ
３′    下ハゼ
３ａ    第一の折り返し部
３ｂ    第二の折り返し部
３ｃ    固定片
４      上ハゼ
４ａ    縦壁
４ｂ    横壁
４ｃ    段下がり部
５      下継手
５ａ    段下がり部
５ｂ    凹部
５ｃ    凸部
６      上継手
６ａ    突き当て部
６ｂ    背面接地部
７      凹凸
８      凹部
９      凹凸
１０    断熱材
１１    野地板
１２    ルーフィング
１３    水切り板
１４    垂木、母屋
１５    雪止め金具
１５ａ  金具本体
１５ｂ  連結片
１６    ビス
１７    防水パッキン
１８    架台固定金具
１９    架台受金具
２０    積載物架台
２１    屋根上積載物
ｔ      防水テープ
ｈ      偏平部
【図１】
0005950293.tif 000002
【図２】
0005950293.tif 000003
【図３】
0005950293.tif 000004
【図４】
0005950293.tif 000005
【図５】
0005950293.tif 000006
【図６】
0005950293.tif 000007
【図７】
0005950293.tif 000008
【図８】
0005950293.tif 000009
【図９】
0005950293.tif 000010
【図１０】
0005950293.tif 000011
【図１１】
0005950293.tif 000012
【図１２】
0005950293.tif 000013
【図１３】
0005950293.tif 000014
【図１４】
0005950293.tif 000015
【図１５】
0005950293.tif 000016
【図１６】
0005950293.tif 000017
【図１７】
0005950293.tif 000018
【図１８】
0005950293.tif 000019
【図１９】
0005950293.tif 000020
【図２０】
0005950293.tif 000021
【図２１】
0005950293.tif 000022
【図２２】
0005950293.tif 000023
【図２３】
0005950293.tif 000024